(57)【要約】  本発明の実施形態は、無線リソース制御接続の方法および装置と、無線リンク劣化を解決する方法および装置を提供し、ユーザ機器（ＵＥ）は、２つ／複数のセルへの無線接続を確立することができる。この方法は、ＵＥと２つ／複数のセルとによって確立された無線接続のうちの少なくとも１つが接続障害を発生することを判定するステップと、２つ／複数のセルとの二重／複数接続性を実施するために無線リソース制御（ＲＲＣ）接続を実行するステップとを含む。
2016527839.tif 000002
【特許請求の範囲】
【請求項１】
無線リソース制御接続の方法であって、ユーザ機器（ＵＥ）は、２つ／複数のセルとの無線接続を確立することができ、前記方法は、
前記ＵＥと２つ／複数のセルとによって確立された前記無線接続のうちの少なくとも１つが接続障害を発生することを判定するステップと、
前記２つ／複数のセルとの二重／複数接続性を実施するために無線リソース制御（ＲＲＣ）接続を実行するステップと
を含む、方法。
【請求項２】
前記接続障害は、無線リンク障害、完全性チェック障害、およびＲＲＣ接続再構成障害のうちの少なくとも１つを含む、請求項１に記載の方法。
【請求項３】
前記ＵＥは、少なくとも１つのマクロ・セルおよび少なくとも１つのスモール・セルとの無線接続を確立する、請求項１または２に記載の方法。
【請求項４】
前記ＵＥが、前記接続障害が前記マクロ・セル内でのみ発生すると判定し、前記スモール・セルとの接続を保持する場合に、セル選択は、実行され、ＲＲＣ接続再確立要求メッセージは、前記選択されたセルに送信され、前記ＲＲＣ接続再確立要求メッセージは、二重／複数接続性の要求を示すためのインジケータを運搬する、請求項３に記載の方法。
【請求項５】
前記ＵＥが、前記接続障害が前記マクロ・セル内でのみ発生すると判定する場合に、前記ＵＥは、前記スモール・セルとの接続を解放し、ＲＲＣ接続再確立の動作を実行する、請求項３に記載の方法。
【請求項６】
前記ＵＥが、前記接続障害が前記マクロ・セル内でのみ発生すると判定する場合に、前記ＵＥは、前記マクロ・セルとの前記接続を解放し、前記スモール・セルは、アンカリング・セルとして変更される、請求項３に記載の方法。
【請求項７】
前記ＵＥが、前記接続障害が前記スモール・セル内でのみ発生すると判定する場合に、前記ＵＥは、前記マクロ・セルとの前記接続を保持し、前記スモール・セルとの前記接続を解放する、請求項３に記載の方法。
【請求項８】
前記ＵＥが、前記接続障害が前記スモール・セル内でのみ発生すると判定し、前記マクロ・セルとの接続を保持する場合に、セル選択は、実行され、ＲＲＣ接続再確立要求メッセージは、前記選択されたセルに送信され、前記ＲＲＣ接続再確立要求メッセージは、二重／複数接続性の要求を示すためのインジケータを運搬する、請求項３に記載の方法。
【請求項９】
前記接続障害が、前記マクロ・セル内と前記スモール・セル内との両方で発生する場合に、前記ＵＥは、従来の再確立手順を実行する、請求項３に記載の方法。
【請求項１０】
無線リンク劣化を解決する方法であって、ユーザ機器（ＵＥ）は、少なくとも１つのマクロ・セルおよび少なくとも１つのスモール・セルとの無線接続を確立することができ、前記方法は、
前記ＵＥと前記スモール・セルとの間のリンク品質が劣化するかどうかを判定するステップと、
前記ＵＥと前記スモール・セルとの間の前記リンク品質が劣化する場合に、前記スモール・セルによる無線リンク監視を実行せず、無線リンク障害を開始せずに、二重／複数セルの接続を維持するために、前記マクロ・セルがスモール・セル経路をリンク品質劣化がすでに発生している前記スモール・セルから他のセルに切り替えるようにするために、スモール・セル品質劣化を前記マクロ・セルに報告し、他のセルの測定レポートを前記マクロ・セルに報告するステップと
を含む、方法。
【請求項１１】
無線リンク劣化を解決する方法であって、ユーザ機器（ＵＥ）は、少なくとも１つのマクロ・セルおよび少なくとも１つのスモール・セルとの無線接続を確立することができ、前記方法は、
前記ＵＥと前記スモール・セルとの間のリンク品質劣化に関するレポートおよび他のセルの測定レポートを入手するステップと、
２つ／複数のセルの新しい接続を維持するために、スモール・セル経路をリンク品質劣化がすでに発生している前記スモール・セルから他のセルに切り替えるステップと
を含む、方法。
【請求項１２】
無線リソース制御接続の装置であって、ユーザ機器（ＵＥ）は、２つ／複数のセルとの無線接続を確立することができ、前記装置は、
前記ＵＥと２つ／複数のセルとによって確立された前記無線接続のうちの少なくとも１つが接続障害を発生することを判定するように構成された判定ユニットと、
前記２つ／複数のセルとの二重／複数接続性を実施するために無線リソース制御（ＲＲＣ）接続を実行するように構成された実行ユニットと
を含む、装置。
【請求項１３】
前記接続障害は、無線リンク障害、完全性チェック障害、およびＲＲＣ接続再構成障害のうちの少なくとも１つを含む、請求項１２に記載の装置。
【請求項１４】
無線リンク劣化を解決する装置であって、ユーザ機器（ＵＥ）は、少なくとも１つのマクロ・セルおよび少なくとも１つのスモール・セルとの無線接続を確立することができ、前記装置は、
前記ＵＥと前記スモール・セルとの間のリンク品質が劣化するかどうかを判定するように構成された判定ユニットと、
前記ＵＥと前記スモール・セルとの間の前記リンク品質が劣化する場合に、前記スモール・セルによる無線リンク監視を実行せず、無線リンク障害を開始せずに、二重／複数セルの接続を維持するために、前記マクロ・セルがスモール・セル経路をリンク品質劣化がすでに発生している前記スモール・セルから他のセルに切り替えるようにするために、スモール・セル品質劣化を前記マクロ・セルに、他のセルの測定レポートを前記マクロ・セルに報告するように構成された報告ユニットと
を含む、装置。
【請求項１５】
無線リンク劣化を解決する装置であって、ユーザ機器（ＵＥ）は、少なくとも１つのマクロ・セルおよび少なくとも１つのスモール・セルとの無線接続を確立することができ、前記装置は、
前記ＵＥと前記スモール・セルとの間のリンク品質劣化に関するレポートおよび他のセルの測定レポートを入手するように構成された入手ユニットと、
２つ／複数のセルの接続を維持するために、スモール・セル経路をリンク品質劣化がすでに発生している前記スモール・セルから他のセルに切り替えるように構成された切替ユニットと
を含む、装置。
【発明の詳細な説明】
【技術分野】
【０００１】
本発明の実施形態は、一般に通信の分野に関し、より詳細には、無線リソース制御接続の方法および装置と、無線リンク劣化を解決する方法および装置とに関する。
【背景技術】
【０００２】
現在、容量改善のための利益と低電力ノードによってもたらされたブラインド・スポット・カバレージに関する利益とに起因して、ますます多くの研究の焦点が、低電力ノードによってカバーされるスモール・セルの展開と機能強化とに向けられている。ここで、低電力ノードは、小サイズ基地局とされ得、その例は、ピコまたはフェムトなどの低電力基地局を含むが、これに限定はされない。３ＧＰＰ  Ｒ１２では、１つの新しい研究項目「Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  −  Ｈｉｇｈｅｒ−ｌａｙｅｒ  ａｓｐｅｃｔｓ」が承認され、その１つの重要なポイントは、マクロ・セル（マクロ基地局がカバレージを提供するセル）およびスモール・セル・レイヤへの二重／複数接続性をサポートすることである。
【０００３】
二重／複数接続性は、１つまたは２つ／複数のマクロ・セルが、１つまたは２つ／複数のスモール・セルとの接続を有することを意味し、これらのマクロ・セルおよびスモール・セルの各セルは、異なる機能を有し、たとえば、ＭＭＥに接続されたマクロ・セルは、よいカバレージを提供するアンカリング・セルとして働き、スモール・セルは、マクロ・セルからのデータ・オフロードを実施することができる。
【０００４】
２つ／複数のサービング・セルならびに２つ／複数のサービング・リンクがあるので、無線リンク劣化もしくは無線リンク障害（ｒａｄｉｏ  ｌｉｎｋ  ｆａｉｌｕｒｅ、ＲＬＦ）、完全性チェック障害（ｉｎｔｅｇｒｉｔｙ  ｃｈｅｃｋ  ｆａｉｌｕｒｅ）、および／またはＲＲＣ接続再構成障害（ＲＲＣ  ｃｏｎｎｅｃｔｉｏｎ  ｒｅｃｏｎｆｉｇｕｒａｔｉｏｎ  ｆａｉｌｕｒｅ）が、１つまたは複数のリンク内で発生することがあり得る。しかし、関連技術は、上記の状況が発生した時にどのように動作すべきかを定義していない。
【発明の概要】
【発明が解決しようとする課題】
【０００５】
関連技術が、二重／複数接続性に関して、ＲＬＦ、完全性チェック障害、および／またはＲＲＣ接続再構成障害が１つまたは複数のリンク内で発生する時にどのように動作すべきかを定義しないので、本発明の実施形態は、無線リソース制御接続の方法および装置と、無線リンク劣化を解決する方法および装置とを提供する。
【課題を解決するための手段】
【０００６】
本発明の実施形態の一態様によれば、無線リソース制御接続の方法であって、ユーザ機器（ＵＥ）は、２つ／複数のセルとの無線接続を確立することができる、方法が提供される。この方法は、ＵＥと２つ／複数のセルとによって確立された無線接続のうちの少なくとも１つが接続障害を発生することを判定するステップと、２つ／複数のセルとの二重／複数接続性を実施するために無線リソース制御（ＲＲＣ）接続を実行するステップとを含む。
【０００７】
一実施形態では、接続障害は、無線リンク障害、完全性チェック障害、およびＲＲＣ接続再構成障害のうちの少なくとも１つを含む。
【０００８】
一実施形態では、ＵＥは、少なくとも１つのマクロ・セルおよび少なくとも１つのスモール・セルとの無線接続を確立する。
【０００９】
一実施形態では、ＵＥが、接続障害がマクロ・セル内でのみ発生すると判定し、スモール・セルとの接続を保持する場合に、セル選択は、実行され、ＲＲＣ接続再確立要求（ＲＲＣ  Ｃｏｎｎｅｃｔｉｏｎ  Ｒｅｅｓｔａｂｌｉｓｈｍｅｎｔ  Ｒｅｑｕｅｓｔ）メッセージは、選択されたセルに送信され、ＲＲＣ接続再確立要求メッセージは、二重／複数接続性の要求を示すためのインジケータを運搬する。
【００１０】
一実施形態では、二重／複数接続が、選択されたセルへのＲＲＣ接続再確立要求メッセージの成功の送信の後に選択されたセル内でサポートされない場合に、選択されたセルは、ＵＥにＲＲＣ接続再確立拒絶（ＲＲＣ  Ｃｏｎｎｅｃｔｉｏｎ  Ｒｅｅｓｔａｂｌｉｓｈｍｅｎｔ  Ｒｅｊｅｃｔ）メッセージを送信し、かつ／または、選択されたセルが、スモール・セルであり、２つ／複数のスモール・セルへの二重／複数接続性が許可されない場合に、選択されたセルは、ＲＲＣ接続再確立拒絶メッセージをＵＥに送信する。
【００１１】
一実施形態では、ＵＥが、ＲＲＣ接続再確立拒絶メッセージを受信する時に、ＵＥは、スモール・セルがマクロ・セルにＵＥコンテキストを要求するために、かつ／またはＵＥのためにマクロ・セルからスモール・セルへＳ１経路を切り替えるようにモビリティ管理エンティティ（ｍｏｂｉｌｉｔｙ  ｍａｎａｇｅｍｅｎｔ  ｅｎｔｉｔｙ）に要求するようにするために、スモール・セルとの接続性だけがあることをスモール・セルに知らせる。
【００１２】
一実施形態では、二重／複数接続性を確立する時に、マクロ・セルは、スモール・セルにＵＥコンテキストを送信する。
【００１３】
一実施形態では、ＵＥが、接続障害がマクロ・セル内でのみ発生すると判定する場合に、ＵＥは、スモール・セルとの接続を解放し、ＲＲＣ接続再確立の動作を実行する。
【００１４】
一実施形態では、ＵＥがＲＲＣ接続確立の動作中に接続のために選択するセルは、接続が解放されるセルである。
【００１５】
一実施形態では、ＵＥが、接続障害がマクロ・セル内でのみ発生すると判定する場合に、ＵＥは、マクロ・セルとの接続を解放し、スモール・セルを、アンカリング・セルとして変更する。
【００１６】
一実施形態では、ＵＥは、マクロ・セルにＵＥコンテキストを要求するために、かつ／またはＵＥのためにマクロ・セルからスモール・セルへＳ１経路を切り替えるようにモビリティ管理エンティティに要求するために、スモール・セルに知らせる。
【００１７】
一実施形態では、二重／複数接続性を確立する時に、マクロ・セルは、ＵＥコンテキストをスモール・セルに送信する。
【００１８】
一実施形態では、アンカリング・セル変更通知に関するメッセージが、ＵＥに関する接続障害の発生の後、第１の所定の時間期間以内に受信されない場合に、ＵＥは、従来の再確立手順を実行する。
【００１９】
一実施形態では、ＵＥが、接続障害がスモール・セル内でのみ発生すると判定する場合に、ＵＥは、マクロ・セルとの接続を保持し、スモール・セルとの接続を解放する。
【００２０】
一実施形態では、ＵＥは、スモール・セル内での接続障害の発生と、他のセルの測定レポートとをマクロ・セルに知らせることができる。
【００２１】
一実施形態では、マクロ・セルは、他のセルをルック・アップし、二重／複数接続性を確立する動作を実行する。
【００２２】
一実施形態では、ＵＥは、ＲＲＣシグナリングを用いて、接続障害がスモール・セル内ですでに発生していることをマクロ・セルに知らせることができる。
【００２３】
一実施形態では、他のセルの測定レポートは、スモール・セルの測定レポートだけを含む。
【００２４】
一実施形態では、ＵＥが、接続障害がスモール・セル内でのみ発生すると判定し、マクロ・セルとの接続を保持する場合に、セル選択は、実行され、ＲＲＣ接続再確立要求メッセージは、選択されたセルに送信され、ＲＲＣ接続再確立要求メッセージは、二重／複数接続性の要求を示すためのインジケータを運搬する。
【００２５】
一実施形態では、二重／複数接続が、選択されたセルへのＲＲＣ接続再確立メッセージの成功の送信の後に選択されたセル内でサポートされない場合に、選択されたセルは、ＲＲＣ接続再確立拒絶メッセージをＵＥに送信し、かつ／または選択されたセルが、マクロ・セルであり、２つ／複数のスモール・セルへの二重／複数接続性が許容されない場合には、選択されたセルは、ＲＲＣ接続再確立拒絶メッセージをＵＥに送信する。
【００２６】
一実施形態では、ＵＥが、ＲＲＣ接続再確立拒絶メッセージを受信する時に、マクロ・セルが新しい二重／複数接続性の再確立を開始する手順を実行できるようにするために、ＵＥが、マクロ・セルとの接続性だけがあることをマクロ・セルに知らせ、あるいは、スモール・セルが、マクロ・セルとの接続だけがあることをマクロ・セルに知らせる。
【００２７】
一実施形態では、接続障害が、マクロ・セル内とスモール・セル内との両方で発生する場合に、ＵＥは、従来の再確立手順を実行する。
【００２８】
本発明のもう１つの態様によれば、無線リンク劣化を解決する方法であって、ユーザ機器（ＵＥ）は、少なくとも１つのマクロ・セルおよび少なくとも１つのスモール・セルとの無線接続を確立することができる、方法が提供される。この方法は、ＵＥとスモール・セルとの間のリンク品質が劣化するかどうかを判定するステップと、ＵＥとスモール・セルとの間のリンク品質が劣化する場合に、スモール・セルによる無線リンク監視を実行せず、無線リンク障害を開始せずに、二重／複数セルの接続を維持するために、マクロ・セルがスモール・セル経路をリンク品質劣化がすでに発生しているスモール・セルから他のセルに切り替えるようにするために、スモール・セル品質劣化をマクロ・セルに報告し、他のセルの測定レポートをマクロ・セルに報告するステップとを含む。
【００２９】
本発明の実施形態のさらなる態様によれば、無線リンク劣化を解決する方法であって、ユーザ機器（ＵＥ）は、少なくとも１つのマクロ・セルおよび少なくとも１つのスモール・セルとの無線接続を確立することができる、方法が提供される。この方法は、ＵＥとスモール・セルとの間のリンク品質劣化に関するレポートおよび他のセルの測定レポートを入手するステップと、２つ／複数のセルの新しい接続を維持するために、スモール・セル経路をリンク品質劣化がすでに発生しているスモール・セルから他のセルに切り替えるステップとを含む。
【００３０】
一実施形態では、チャネル品質劣化は、チャネル品質関連測定値に基づいて入手される。
【００３１】
一実施形態では、スモール・セルの品質劣化は、ＵＥによってマクロ・セルに報告される。
【００３２】
本発明の実施形態のもう１つの態様によれば、無線リソース制御接続の装置であって、ユーザ機器（ＵＥ）は、２つ／複数のセルとの無線接続を確立することができる、装置が提供される。この装置は、ＵＥと２つ／複数のセルとによって確立された無線接続のうちの少なくとも１つが接続障害を発生することを判定するように構成された判定ユニットと、２つ／複数のセルとの二重／複数接続性を実施するために無線リソース制御（ＲＲＣ）接続を実行するように構成された実行ユニットとを含む。
【００３３】
一実施形態では、接続障害は、無線リンク障害、完全性チェック障害、およびＲＲＣ接続再構成障害のうちの少なくとも１つを含む。
【００３４】
一実施形態では、ＵＥは、少なくとも１つのマクロ・セルおよび少なくとも１つのスモール・セルとの無線接続を確立する。
【００３５】
一実施形態では、ＵＥが、接続障害がマクロ・セル内でのみ発生すると判定し、スモール・セルとの接続を保持する場合に、セル選択は、実行され、ＲＲＣ接続再確立要求メッセージは、選択されたセルに送信され、ＲＲＣ接続再確立要求メッセージは、二重／複数接続性の要求を示すためのインジケータを運搬する。
【００３６】
一実施形態では、二重／複数接続が、選択されたセルへのＲＲＣ接続再確立要求メッセージの成功の送信の後に選択されたセル内でサポートされない場合に、選択されたセルは、ＵＥにＲＲＣ接続再確立拒絶メッセージを送信し、かつ／または、選択されたセルが、スモール・セルであり、２つ／複数のスモール・セルへの二重／複数接続性が許可されない場合に、選択されたセルは、ＲＲＣ接続再確立拒絶メッセージをＵＥに送信する。
【００３７】
一実施形態では、ＵＥが、ＲＲＣ接続再確立拒絶メッセージを受信する時に、ＵＥは、スモール・セルがマクロ・セルからＵＥコンテキストを要求するために、かつ／またはＵＥのためにマクロ・セルからスモール・セルへＳ１経路を切り替えるようにモビリティ管理エンティティに要求するようにするために、スモール・セルとの接続性だけがあることをスモール・セルに知らせる。
【００３８】
一実施形態では、二重／複数接続性を確立する時に、マクロ・セルは、スモール・セルにＵＥコンテキストを送信する。
【００３９】
一実施形態では、ＵＥが、接続障害がマクロ・セル内でのみ発生すると判定する場合に、ＵＥは、スモール・セルとの接続を解放し、ＲＲＣ接続再確立の動作を実行する。
【００４０】
一実施形態では、ＵＥがＲＲＣ接続確立の動作中に接続のために選択するセルは、接続が解放されるセルである。
【００４１】
一実施形態では、ＵＥが、接続障害がマクロ・セル内でのみ発生すると判定する場合に、ＵＥは、マクロ・セルとの接続を解放し、スモール・セルは、アンカリング・セルとして変更される。
【００４２】
一実施形態では、ＵＥは、マクロ・セルにＵＥコンテキストを要求するために、かつ／またはＵＥのためにマクロ・セルからスモール・セルへＳ１経路を切り替えるようにモビリティ管理エンティティに要求するために知らせる。
【００４３】
一実施形態では、二重／複数接続性を確立する時に、マクロ・セルは、ＵＥコンテキストをスモール・セルに送信する。
【００４４】
一実施形態では、アンカリング・セル変更通知に関する再確立メッセージが、ＵＥに関する接続障害の発生の後、第１の所定の時間期間以内に受信されない場合に、ＵＥは、従来の再確立手順を実行する。
【００４５】
一実施形態では、ＵＥが、接続障害がスモール・セル内でのみ発生すると判定する場合に、ＵＥは、マクロ・セルとの接続を保持し、スモール・セルとの接続を解放する。
【００４６】
一実施形態では、ＵＥは、スモール・セル内での接続障害の発生と、他のセルの測定レポートとをマクロ・セルに知らせることができる。
【００４７】
一実施形態では、マクロ・セルは、他のセルをルック・アップし、二重／複数接続性を確立する動作を実行する。
【００４８】
一実施形態では、ＵＥは、ＲＲＣシグナリングを用いて、接続障害がスモール・セル内ですでに発生していることをマクロ・セルに知らせることができる。
【００４９】
一実施形態では、他のセルの測定レポートは、スモール・セルの測定レポートだけを含む。
【００５０】
一実施形態では、ＵＥが、接続障害がスモール・セル内でのみ発生すると判定し、マクロ・セルとの接続を保持する場合に、セル選択は、実行され、ＲＲＣ接続再確立要求メッセージは、選択されたセルに送信され、ＲＲＣ接続再確立要求メッセージは、二重／複数接続性の要求を示すためのインジケータを運搬する。
【００５１】
一実施形態では、二重／複数接続が、選択されたセルへのＲＲＣ接続再確立メッセージの成功の送信の後に選択されたセル内でサポートされない場合に、選択されたセルは、ＲＲＣ接続再確立拒絶メッセージをＵＥに送信し、かつ／または選択されたセルが、マクロ・セルであり、２つ／複数のスモール・セルへの二重／複数接続性が許容されない場合には、選択されたセルは、ＲＲＣ接続再確立拒絶メッセージをＵＥに送信する。
【００５２】
一実施形態では、ＵＥが、ＲＲＣ接続再確立拒絶メッセージを受信する時に、マクロ・セルが新しい二重／複数接続性の再確立を開始する手順を実行できるようにするために、ＵＥが、マクロ・セルとの接続性だけがあることをマクロ・セルに知らせ、あるいは、スモール・セルが、マクロ・セルとの接続だけがあることをマクロ・セルに知らせる。
【００５３】
一実施形態では、接続障害が、マクロ・セル内とスモール・セル内との両方で発生する場合に、ＵＥは、従来の再確立手順を実行する。
【００５４】
本発明の実施形態のもう１つの態様によれば、無線リンク劣化を解決する装置であって、ユーザ機器（ＵＥ）は、少なくとも１つのマクロ・セルおよび少なくとも１つのスモール・セルとの無線接続を確立することができる、装置が提供される。この装置は、ＵＥとスモール・セルとの間のリンク品質が劣化するかどうかを判定するように構成された判定ユニットと、ＵＥとスモール・セルとの間のリンク品質が劣化する場合に、スモール・セルによる無線リンク監視を実行せず、無線リンク障害を開始せずに、二重／複数セルの接続を維持するために、マクロ・セルがスモール・セル経路をリンク品質劣化がすでに発生しているスモール・セルから他のセルに切り替えるようにするために、スモール・セル品質劣化をマクロ・セルに、他のセルの測定レポートをマクロ・セルに報告するように構成された報告ユニットとを含む。
【００５５】
本発明の実施形態のさらなる態様によれば、無線リンク劣化を解決する装置であって、ユーザ機器（ＵＥ）は、少なくとも１つのマクロ・セルおよび少なくとも１つのスモール・セルとの無線接続を確立することができる、装置が提供される。この装置は、ＵＥとスモール・セルとの間のリンク品質劣化に関するレポートおよび他のセルの測定レポートを入手するように構成された入手ユニットと、２つ／複数のセルの接続を維持するために、スモール・セル経路をリンク品質劣化がすでに発生しているスモール・セルから他のセルに切り替えるように構成された切替ユニットとを含む。
【００５６】
一実施形態では、チャネル品質劣化は、チャネル品質関連測定値に基づいて入手される。
【００５７】
一実施形態では、スモール・セルの品質劣化は、ＵＥによってマクロ・セルに報告される。
【００５８】
本発明の実施形態のさらなる態様によれば、上記の態様を実行するコンピュータ・プログラム命令を含むコンピュータ・プログラム製品が提供される。
【００５９】
本発明の実施形態の上記および他の目的、特徴、および利点は、図面を参照して以下の詳細な説明を読むことによってより明白になる。図面では、本発明の複数の実施形態が、例示的で非限定的な形で示されている。
【図面の簡単な説明】
【００６０】
【図１】本発明の実施形態による無線リソース制御接続の方法を示す流れ図である。
【図２】本発明の実施形態による無線リンク劣化を解決する方法を示す流れ図である。
【図３】本発明のもう１つの実施形態による無線リンク劣化を解決する方法を示す流れ図である。
【図４】本発明の実施形態による無線リソース制御接続の装置を示すブロック図である。
【図５】本発明の実施形態による無線リンク劣化を解決する装置を示すブロック図である。
【図６】本発明のもう１つの実施形態による無線リンク劣化を解決する装置を示すブロック図である。
【発明を実施するための形態】
【００６１】
図面では、同一のまたは対応する符号が、同一のまたは対応する部分を表す。
【００６２】
本発明の原理および趣旨を、図面に示された複数の例示的実施形態を参照して説明する。これらの実施形態が、当業者が、本発明をよりよく理解し、これによって本発明を実施することを可能にするためにのみ提示され、いかなる形でも本発明の範囲を限定するために提示されるのではないことを了解されたい。
【００６３】
図１は、本発明の実施形態による無線リソース制御接続の方法の流れ図を示し、ここで、ユーザ機器（ＵＥ）は、２つ／複数のセルへの無線接続を確立することができる。この方法は、以下のステップＳ１０２およびＳ１０４を含む。
【００６４】
ステップＳ１０２：ＵＥおよび２つ／複数のセルによって確立された無線接続のうちの少なくとも１つが接続障害を発生することを判定する。
【００６５】
ステップＳ１０４：２つ／複数のセルとの二重／複数接続性を実施するために無線リソース制御（ＲＲＣ）接続を実行する。
【００６６】
上記の「接続障害」に関して、当業者は、直接に疑いもなくその意味を決定することができるが、本発明の実施形態は、これを以下のように明らかにする。
【００６７】
第１に、無線リンク障害は、Ｔ３１０満了によって引き起こされる無線リンク障害、ランダム・アクセス問題、およびＲＬＣ上の最大再送信回数を含むことができる。
【００６８】
第２に、複数のセキュリティ・キーが、二重／複数接続性に使用され、ＵＥは、マクロ・セルまたはスモール・セル内で完全性チェック障害をこうむる可能性がある。
【００６９】
第３に、ＵＥは、マクロ・セル内でＲＲＣ接続再構成障害をこうむる可能性がある。Ｃ２（制御プレーン・アーキテクチャＣ２）が採用される場合には、ＵＥは、スモール・セル内でＲＲＣ接続再構成障害をこうむる可能性がある。
【００７０】
最後に、本発明は、異なる原因によって引き起こされ、マクロ・セルおよびスモール・セル内で発生する接続障害をカバーすることができる、すなわち、ＵＥは、マクロ・セル内で無線リンク障害をこうむるのと同時に、スモール・セル内で完全性チェック障害をこうむる可能性がある。
【００７１】
当業者は、ステップＳ１０２が、二重／複数セル内で発生する接続障害を伴う多数の可能な事例を含むことを了解することができる。明瞭な説明のために、事例は、３つの事例すなわち、主／アンカリング・セルとしてのマクロ・セル内でのみ発生する接続障害、補助セルとしてのスモール・セル内でのみ発生する接続障害、およびマクロ・セルとスモール・セルとの両方で発生する接続障害に分類され、それぞれ説明される。
【００７２】
シナリオ１：ＵＥが、マクロ・セル内でのみ発生する接続障害をこうむる。
【００７３】
二重／複数接続性でのスモール・セルおよびマクロ・セルは、異なる周波数で動作する場合があるので、ＵＥが、マクロ・セル内で接続障害をこうむる時に、スモール・セルに再接続するか、スモール・セルへの接続を維持することを可能にすることが有益である。
【００７４】
解決策１：スモール・セルとの接続を保持すると同時に、再確立をトリガする。
【００７５】
第１に、ＵＥは、スモール・セルとの接続を保持し、セル選択を実行する。ＵＥは、スモール・セルの周波数を含む任意の周波数上でセル選択を実行することができ、あるいは、スモール・セルの周波数を含まない任意の周波数上でセル選択を実行することができる。たとえば、二重接続性が、マクロ・セルおよびスモール・セルに関して実行される例では、前者に関して、スモール・セルが、その周波数上で最良のチャネル品質を有するセルである可能性があるので、スモール・セルおよび選択されたセルが、同一の周波数で動作する可能性があり、したがって、これは、システムが、セル間同一周波数動作の事例をサポートすることを必要とするが、対照的に、後者に関して、スモール・セルおよび選択されたセルが、異なる周波数で動作するので、これは、システムが、動作がセルの間で異なる周波数で実行される事例をサポートすることを必要とする。
【００７６】
第２に、ＵＥは、選択されたセルにＲＲＣ接続再確立要求メッセージを送信し、このＲＲＣ接続再確立要求メッセージは、二重／複数接続性に関する要求を示すためのインジケータを運搬する。たとえば、ＵＥが、ＬＴＥ  ＲＡＴセルを選択する場合に、ＵＥは、ランダム・アクセス手順を実行し、ＲＲＣ接続再確立要求を送信する。ＲＲＣ接続再確立要求内の１つのインジケータは、ＵＥに関してすでに１つのサービング・リンクがあり、再確立が二重／複数接続性を要求するためのものであることを示すために必要である。しかし、ＲＲＣ接続再確立要求の送信に成功する場合であっても、選択されたセルが、二重／複数接続性をサポートしない場合があり、したがって、そのセルは、ＲＲＣ接続再確立拒絶メッセージをＵＥに送信する。その代わりに、ＵＥによって選択されたセルがスモール・セルであり、２つ／複数のスモール・セルへの二重／複数接続性が許容されない場合には、ＲＲＣ接続再確立要求の送信に成功する場合であっても、選択されたセルは、ＵＥにＲＲＣ接続再確立拒絶メッセージを送信する。
【００７７】
第３に、ＵＥがＲＲＣ接続再確立拒絶メッセージを受信した後に、ＵＥは、スモール・セルとの接続性だけがあることをスモール・セルに知らせる。たとえば、二重接続性が、マクロ・セルおよびスモール・セルに関して実行される例では、ＵＥは、スモール・セルとの接続性だけがあることを示すために、スモール・セルに報告する。この時に、スモール・セルは、マクロ・セルにＵＥコンテキストを要求する。そのうえ、スモール・セルは、ＵＥのためにＳ１経路をマクロ・セルからスモール・セルに切り替えるようにＭＭＥに要求する必要もある。さらに、マクロ・セルからのＵＥコンテキストに関して、マクロ・セルが、二重／複数接続性を確立する時にスモール・セルにＵＥコンテキストを送信する、もう１つの可能性がある。
【００７８】
解決策２：スモール・セルとの接続を解放し、ＲＲＣ接続再確立をトリガする。ＵＥがＲＲＣ接続再確立の動作中に接続のために選択するセルは、接続が解放されるセルである。選択されたセルが、正しく準備されていないか、選択されたセルが、ＬＴＥ  ＲＡＴセルではない場合には、ＲＲＣ接続再確立は、失敗し、ＵＥは、アイドルになる。
【００７９】
解決策３：ＵＥは、マクロ・セルとの接続を解放し、スモール・セルは、アンカリング・セルとして変更される。スモール・セル・リンクがアクティブなので、ＵＥは、ＲＬＦがマクロ・セル内で発生したことを示すメッセージをネットワークに送信する。ネットワークは、アンカリング・セルとしてスモール・セルを準備し、新しい構成すなわちアンカリング・セルの変化についてＵＥに知らせる。この手順は、高速のアンカリング・セル変更をもたらし、ユーザ・プレーン割込みを減らす。
【００８０】
さらに、二重接続性が、マクロ・セルおよびスモール・セルに関して実行される例では、スモール・セルが、あるＵＥコンテキストを知らない可能性があるので、ＵＥは、ＵＥコンテキストを入手し、かつ／またはＵＥのためにＳ１経路をマクロ・セルからスモール・セルに切り替えるようにモビリティ管理エンティティに要求するために、スモール・セルに知らせる。さらに、マクロ・セルからのＵＥコンテキストに関して、マクロ・セルが、二重／複数接続性を確立する時にスモール・セルにＵＥコンテキストを送信する、もう１つの可能性がある。
【００８１】
シナリオ２：ＵＥは、スモール・セル内でのみ接続障害をこうむる。
【００８２】
解決策１：マクロ・セルとの接続を保持し、スモール・セルとの接続を解放し、同時に、ＵＥは、ＲＲＣシグナリングを用いてスモール・セル内の接続障害状態をマクロ・セルに知らせ、他のセルの測定レポートをマクロ・セルに知らせることができる。マクロ・セルは、二重／複数接続性を保持するために別のスモール・セルを見つけることができる。
【００８３】
従来のシステムでは、ＭＥ  ＭＡＣは、ＲＡまたはＲＬＣの問題についてＵＥ  ＲＲＣに知らせ、ＲＲＣは、接続再確立要求を生成する。二重接続性が、マクロ・セルおよびスモール・セルに関して実行される例では、マクロ・セルの接続は、良好であり、アクティブであり、マクロ・セルは、アンカリング・セルとして働き、ＵＥコンテキスト全体を所有する。したがって、ＵＥ  ＭＡＣは、ＵＥ  ＲＲＣに知らせることができる。ＵＥ  ＲＲＣは、スモール・セルの接続障害を知らせる、ネットワークへのメッセージを生成する。さらに、ＵＥは、マクロ・セルにも測定レポートを送信する。したがって、マクロ・セルは、再びダウンリンク・データをスモール・セルに送信し続けない。それと同時に、マクロ・セルは、二重接続性を維持するために別の適切なスモール・セルを見つけることができる。
【００８４】
解決策２：マクロ・セルとの接続を保持し、確立をトリガする。
【００８５】
第１に、ＵＥは、スモール・セルとの接続を保持し、セル選択を実行する。さらに、ＵＥは、スモール・セルの周波数を含む任意の周波数上でセル選択を実行することができ、あるいは、スモール・セルの周波数を含まない任意の周波数上でセル選択を実行することができる。たとえば、二重接続性が、マクロ・セルおよびスモール・セルに関して実行される例では、前者に関して、マクロ・セルが、その周波数上で最良のチャネル品質を有するセルである可能性があるので、マクロ・セルおよび選択されたセルが、同一の周波数で動作する可能性があり、したがって、これは、システムが、セル間同一周波数動作をサポートすることを必要とするが、対照的に、後者に関して、マクロ・セルおよび選択されたセルが、異なる周波数で動作するので、これは、システムが、動作がセルの間で異なる周波数で実行される事例をサポートすることを必要とする。
【００８６】
第２に、ＵＥは、選択されたセルにＲＲＣ接続再確立要求メッセージを送信し、このＲＲＣ接続再確立要求メッセージは、二重／複数接続性に関する要求を示すためのインジケータを運搬する。たとえば、ＵＥが、ＬＴＥ  ＲＡＴセルを選択する場合に、ＵＥは、ランダム・アクセス手順を実行し、ＲＲＣ接続再確立要求を送信する。ＲＲＣ接続再確立要求内の１つのインジケータは、ＵＥに関してすでに１つのサービング・リンクがあり、再確立が二重／複数接続性を要求するためのものであることを示すために必要である。しかし、接続再確立要求の送信に成功する場合であっても、選択されたセルが、二重／複数接続性をサポートしない場合があり、したがって、そのセルは、ＲＲＣ接続再確立拒絶メッセージをＵＥに送信する。その代わりに、ＵＥによって選択されたセルがマクロ・セルであり、２つ／複数のスモール・セルへの二重／複数接続性が許容されない場合には、ＲＲＣ接続再確立要求の送信に成功する場合であっても、選択されたセルは、ＵＥにＲＲＣ接続再確立拒絶メッセージを送信する。
【００８７】
第３に、ＵＥがＲＲＣ接続再確立拒絶メッセージを受信した後に、ＵＥは、マクロ・セルとの接続性だけがあることを示すために、マクロ・セルに報告する。たとえば、二重接続性がマクロ・セルおよびスモール・セルに関して実行される例では、ＵＥは、スモール・セルとの接続性だけがあることを示すためにマクロ・セルに報告する。
【００８８】
シナリオ３：ＵＥは、マクロ・セル内とスモール・セル内との両方の接続障害を同時にこうむる。
【００８９】
このシナリオでは、ＵＥは、そのＵＥにとって使用可能な無線リンクがないので、再確立手順を開始しなければならない。しかし、このシナリオは、非常にまれに発生する。
【００９０】
そのうえ、ＬＴＥシステムでは、ＵＥは、無線リンクモニタ（Ｒａｄｉｏ  Ｌｉｎｋ  Ｍｏｎｉｔｏｒ、ＲＬＭ）を介して無線リンクの状況を監視する。たとえば、ＵＥは、ＣＱＩ測定を実行し、長期平均広帯域ＣＱＩがＱｏｕｔ未満である場合には、Ｔ３１０が、トリガされ、走行を開始し、これは、無線リンク条件が悪いことを表した。Ｔ３１０が満了する場合には、ＲＬＦが、ＵＥによって宣言される。さらに、ランダム・アクセスと、無線リンク制御（ｒａｄｉｏ  ｌｉｎｋ  ｃｏｎｔｒｏｌ、ＲＬＣ）レイヤ上の最大再送信回数とに関する問題がある場合には、ＲＬＦが、やはり発生する。ＲＬＦが発生する場合には、ユーザは、ＲＲＣ接続再確立の実行を試みる。ＲＲＣ接続再確立が、定義された時間内に成功になり得ない場合には、ＵＥは、接続状態からアイドル状態に戻る。
【００９１】
上記のフローは、図２に示されている無線リンク障害を解決する方法を介して最適化され得る。図２は、本発明の実施形態による無線リンク障害を解決する方法の流れ図を示し、この方法は、下記のステップＳ２０２およびステップＳ２０４を含む。
【００９２】
ステップＳ２０２：ＵＥとスモール・セルとの間のリンク品質が劣化するかどうかを判定する。
【００９３】
ステップＳ２０４：ＵＥとスモール・セルとの間のリンク品質が劣化する場合には、スモール・セルによって無線リンク監視を実行せず、無線リンク障害を開始せずに、二重／複数セルの接続を維持するために、マクロ・セルが、リンク品質劣化がすでに発生しているスモール・セルから他のセルへスモール・セル経路を切り替えるようにするために、マクロ・セルにスモール・セル品質劣化を報告し、マクロ・セルに他のセルの測定レポートを報告する。
【００９４】
ステップＳ２０２およびＳ２０４からわかるように、二重／複数接続性の場合、かつ、定義された時間内の１つまたは２つ／複数のスモール・セルのチャネル品質がより低い場合に、ＵＥは、チャネル品質がこれらのセルで劣化したことをマクロ・セルに報告することができ、一方、ユーザも、他のセルの測定レポートをマクロ・セルに報告し、その結果、マクロ・セルは、上記の情報に従って、スモール・セル経路をより高いチャネル品質を有する他のセルに切り替えるようになる。たとえば、二重接続性がマクロ・セルおよびスモール・セルに関して実行される例では、定義された時間内のスモール・セルのチャネル品質がより低い場合に、ＵＥは、チャネル品質がスモール・セルで劣化したことをマクロ・セルに報告すると同時に、他のセルの測定レポートをマクロ・セルに報告することができ、その後、マクロ・セルは、適切なスモール・セルを見つけ、新しい二重／複数接続性をサポートするために、スモール・セル経路を見つかったスモール・セルに切り替えることができる。特に注目に値することに、関連技術における解決策とは異なって、本発明の実施形態によって提供される解決策は、スモール・セルによる無線リンク監視を実行せず、無線リンク障害を開始せずに、上記のＴ３１０満了およびスモール・セルでのＲＬＣ発生を待つ必要がない。したがって、これは、ＵＥが望ましくない無線リンク条件の状態である時間期間を短縮することができる。
【００９５】
それに対応して、図３に、図３に示されているようにステップＳ３０２からステップＳ３０４を含む、本発明のもう１つの実施形態による無線リンク障害を解決する方法の流れ図を示す。
【００９６】
ステップＳ３０２：少なくとも１つのマクロ・セルおよび少なくとも１つのスモール・セルとの無線接続を確立するＵＥとスモール・セルとの間のリンク品質劣化に関するレポートならびに他のセルの測定値に関するレポートを入手する。
【００９７】
ステップＳ３０４：２つ／複数のセルの新しい接続を維持するために、スモール・セル経路を、リンク品質劣化がすでに発生しているスモール・セルから他のセルに切り替える。
【００９８】
ここで、チャネル品質劣化は、チャネル品質関連測定値に基づいて入手される。スモール・セルの品質劣化は、ＵＥによってマクロ・セルに報告される。
【００９９】
本発明の実施形態は、無線リソース制御接続の装置であって、ユーザ機器（ＵＥ）は、２つ／複数のセルとの無線接続を確立することができる、装置をさらに提供する。
【０１００】
図４に、本発明の実施形態による無線リソース制御接続の装置のブロック図を示す。この装置は、判定ユニットと実行ユニットとを含む。ユニットの構造を、詳細に説明する。
【０１０１】
判定ユニットは、ＵＥと２つ／複数のセルとによって確立された無線接続のうちの少なくとも１つが接続障害を発生することを判定するように構成される。実行ユニットは、判定ユニットに接続され、２つ／複数のセルとの二重／複数接続性を実施するために無線リソース制御（ＲＲＣ）接続を実行するように構成される。
【０１０２】
当業者は、判定ユニットが、二重／複数セル内で発生する接続障害を伴う多数の可能な事例を判定できることを了解することができる。明瞭な説明のために、事例は、３つの事例すなわち、主／アンカリング・セルとしてのマクロ・セル内でのみ発生する接続障害、補助セルとしてのスモール・セル内でのみ発生する接続障害、およびマクロ・セルとスモール・セルとの両方で発生する接続障害に分類され、それぞれ説明される。
【０１０３】
シナリオ１：判定ユニットは、接続障害がマクロ・セル内でのみ発生すると判定する。
【０１０４】
二重／複数接続性でのスモール・セルおよびマクロ・セルは、異なる周波数で動作する場合があるので、ＵＥが、マクロ・セル内で接続障害をこうむる時に、スモール・セルに再接続するか、スモール・セルへの接続を維持することを可能にすることが有益である。
【０１０５】
解決策１：スモール・セルとの接続を保持すると同時に、再確立をトリガする。
【０１０６】
第１に、実行ユニットは、スモール・セルとの接続を保持し、セル選択を実行する。ＵＥは、スモール・セルの周波数を含む任意の周波数上でセル選択を実行することができ、あるいは、スモール・セルの周波数を含まない任意の周波数上でセル選択を実行することができる。たとえば、二重接続性が、マクロ・セルおよびスモール・セルに関して実行される例では、前者に関して、スモール・セルが、その周波数上で最良のチャネル品質を有するセルである可能性があるので、スモール・セルおよび選択されたセルが、同一の周波数で動作する可能性があり、したがって、これは、システムが、セル間同一周波数動作の事例をサポートすることを必要とするが、対照的に、後者に関して、スモール・セルおよび選択されたセルが、異なる周波数で動作するので、これは、システムが、動作がセルの間で異なる周波数で実行される事例をサポートすることを必要とする。
【０１０７】
第２に、実行ユニットは、選択されたセルにＲＲＣ接続再確立要求メッセージを送信し、このＲＲＣ接続再確立要求メッセージは、二重／複数接続性に関する要求を示すためのインジケータを運搬する。たとえば、ＵＥが、ＬＴＥ  ＲＡＴセルを選択する場合に、ＵＥは、ランダム・アクセス手順を実行し、ＲＲＣ接続再確立要求を送信する。ＲＲＣ接続再確立要求内の１つのインジケータは、ＵＥに関してすでに１つのサービング・リンクがあり、再確立が二重／複数接続性を要求するためのものであることを示すために必要である。しかし、ＲＲＣ接続再確立要求の送信に成功する場合であっても、選択されたセルが、二重／複数接続性をサポートしない場合があり、したがって、そのセルは、ＲＲＣ接続再確立拒絶メッセージをＵＥに送信する。その代わりに、実行ユニットによって選択されたセルがスモール・セルであり、２つ／複数のスモール・セルへの二重／複数接続性が許容されない場合には、ＲＲＣ接続再確立要求の送信に成功する場合であっても、選択されたセルは、ＵＥにＲＲＣ接続再確立拒絶メッセージを送信する。
【０１０８】
第３に、ＵＥがＲＲＣ接続再確立拒絶メッセージを受信した後に、実行ユニットは、スモール・セルとの接続性だけがあることをスモール・セルに知らせる。たとえば、二重接続性が、マクロ・セルおよびスモール・セルに関して実行される例では、実行ユニットは、スモール・セルとの接続性だけがあることを示すために、スモール・セルに報告する。この時に、スモール・セルは、マクロ・セルにＵＥコンテキストを要求する。そのうえ、スモール・セルは、ＵＥのためにＳ１経路をマクロ・セルからスモール・セルに切り替えるようにＭＭＥに要求する必要もある。さらに、マクロ・セルからのＵＥコンテキストに関して、マクロ・セルが、二重／複数接続性を確立する時にスモール・セルにＵＥコンテキストを送信する、もう１つの可能性がある。
【０１０９】
解決策２：スモール・セルとの接続を解放し、ＲＲＣ接続再確立をトリガする。ＵＥがＲＲＣ接続再確立の動作中に接続のために選択するセルは、接続が解放されるセルである。選択されたセルが、正しく準備されていないか、選択されたセルが、ＬＴＥ  ＲＡＴセルではない場合には、ＲＲＣ接続再確立は、失敗し、ＵＥは、アイドルになる。
【０１１０】
解決策３：実行ユニットは、マクロ・セルとの接続を解放し、スモール・セルは、アンカリング・セルとして変更される。スモール・セル・リンクがアクティブなので、実行ユニットは、ＲＬＦがマクロ・セル内で発生したことを示すメッセージをネットワークに送信する。ネットワークは、アンカリング・セルとしてスモール・セルを準備し、新しい構成すなわちアンカリング・セルの変化についてＵＥに知らせる。この手順は、高速のアンカリング・セル変更をもたらし、ユーザ・プレーン割込みを減らす。
【０１１１】
さらに、二重接続性が、マクロ・セルおよびスモール・セルに関して実行される例では、スモール・セルが、あるＵＥコンテキストを知らない可能性があるので、実行ユニットは、ＵＥコンテキストを入手し、かつ／またはＵＥのためにＳ１経路をマクロ・セルからスモール・セルに切り替えるようにモビリティ管理エンティティに要求するために、スモール・セルに知らせる。さらに、マクロ・セルからのＵＥコンテキストに関して、マクロ・セルが、二重／複数接続性を確立する時にスモール・セルにＵＥコンテキストを送信する、もう１つの可能性がある。
【０１１２】
シナリオ２：判定ユニットは、接続障害がスモール・セル内でのみ発生すると判定する。
【０１１３】
解決策１：マクロ・セルとの接続を保持し、スモール・セルとの接続を解放し、同時に、ＵＥは、ＲＲＣシグナリングを用いてスモール・セル内の接続障害状態をマクロ・セルに知らせ、他のセルの測定レポートをマクロ・セルに知らせることができる。マクロ・セルは、二重／複数接続性を保持するために別のスモール・セルを見つけることができる。
【０１１４】
従来のシステムでは、ＵＥ  ＭＡＣは、ＲＡまたはＲＬＣの問題についてＵＥ  ＲＲＣに知らせ、ＲＲＣは、接続再確立要求を生成する。二重接続性がマクロ・セルおよびスモール・セルに関して実行される、本発明の例では、マクロ・セルの接続は、良好であり、アクティブであり、マクロ・セルは、アンカリング・セルとして働き、ＵＥコンテキスト全体を所有する。したがって、ＵＥ  ＭＡＣは、ＵＥ  ＲＲＣに知らせることができる。ＵＥ  ＲＲＣは、スモール・セルの接続障害を知らせる、ネットワークへのメッセージを生成する。さらに、実行ユニットは、マクロ・セルにも測定レポートを送信する。したがって、マクロ・セルは、再びダウンリンク・データをスモール・セルに送信し続けない。それと同時に、マクロ・セルは、二重接続性を維持するために別の適切なスモール・セルを見つけることができる。
【０１１５】
解決策２：マクロ・セルとの接続を保持し、確立をトリガする。
【０１１６】
第１に、実行ユニットは、スモール・セルとの接続を保持し、セル選択を実行する。さらに、ＵＥは、スモール・セルの周波数を含む任意の周波数上でセル選択を実行することができ、あるいは、スモール・セルの周波数を含まない任意の周波数上でセル選択を実行することができる。たとえば、二重接続性が、マクロ・セルおよびスモール・セルに関して実行される例では、前者に関して、マクロ・セルが、その周波数上で最良のチャネル品質を有するセルである可能性があるので、マクロ・セルおよび選択されたセルが、同一の周波数で動作する可能性があり、したがって、これは、システムが、セル間同一周波数動作をサポートすることを必要とするが、対照的に、後者に関して、マクロ・セルおよび選択されたセルが、異なる周波数で動作するので、これは、システムが、動作がセルの間で異なる周波数で実行される事例をサポートすることを必要とする。
【０１１７】
第２に、実行ユニットは、選択されたセルにＲＲＣ接続再確立要求メッセージを送信し、このＲＲＣ接続再確立要求メッセージは、二重／複数接続性に関する要求を示すためのインジケータを運搬する。たとえば、実行ユニットが、ＬＴＥ  ＲＡＴセルを選択する場合に、ＵＥは、ランダム・アクセス手順を実行し、ＲＲＣ接続再確立要求を送信する。ＲＲＣ接続再確立要求内の１つのインジケータは、ＵＥに関してすでに１つのサービング・リンクがあり、再確立が二重／複数接続性を要求するためのものであることを示すために必要である。しかし、接続再確立要求の送信に成功する場合であっても、選択されたセルが、二重／複数接続性をサポートしない場合があり、したがって、そのセルは、ＲＲＣ接続再確立拒絶メッセージをＵＥに送信する。その代わりに、実行ユニットによって選択されたセルがマクロ・セルであり、２つ／複数のスモール・セルへの二重／複数接続性が許容されない場合には、ＲＲＣ接続再確立要求の送信に成功する場合であっても、選択されたセルは、ＵＥにＲＲＣ接続再確立拒絶メッセージを送信する。
【０１１８】
第３に、ＵＥがＲＲＣ接続再確立拒絶メッセージを受信した後に、実行ユニットが、マクロ・セルとの接続性だけがあることをマクロ・セルに知らせ、あるいは、スモール・セルが、マクロ・セルとの接続だけがあることをマクロ・セルに知らせ、その結果、マクロ・セルが、新しい二重／複数接続性の再確立を開始する手順を実行するようになる。たとえば、二重接続性がマクロ・セルおよびスモール・セルに関して実行される例では、実行ユニットは、スモール・セルとの接続性だけがあることを示すためにマクロ・セルに報告する。
【０１１９】
シナリオ３：判定ユニットは、接続障害がマクロ・セル内とスモール・セル内との両方で同時に発生すると判定する。
【０１２０】
このシナリオでは、ＵＥは、そのＵＥにとって使用可能な無線リンクがないので、再確立手順を開始しなければならない。しかし、このシナリオは、非常にまれに発生する。
【０１２１】
そのうえ、以前のＬＴＥシステムでは、ＵＥは、無線リンクモニタ（ＲＬＭ）を介して無線リンクの状況を監視する。たとえば、ＵＥは、ＣＱＩ測定を実行し、長期平均広帯域ＣＱＩがＱｏｕｔ未満である場合には、Ｔ３１０が、トリガされ、走行を開始し、これは、無線リンク条件が悪いことを表した。Ｔ３１０が満了する場合には、ＲＬＦが、ＵＥによって宣言される。さらに、ランダム・アクセスと、無線リンク制御（ＲＬＣ）上の最大再送信回数とに関する問題がある場合には、ＲＬＦが、やはり発生する。ＲＬＦが発生する場合には、ユーザは、ＲＲＣ接続再確立の実行を試みる。ＲＲＣ接続再確立が、定義された時間内に成功になり得ない場合には、ＵＥは、接続状態からアイドル状態に戻る。
【０１２２】
しかし、上記のフローは、図５に示されている無線リンク障害を解決する装置を介して最適化され得る。図５は、本発明の実施形態による無線リンク障害を解決する装置のブロック図を示し、ユーザ機器（ＵＥ）は、少なくとも１つのマクロ・セルおよび少なくとも１つのスモール・セルとの無線接続を確立することができる。装置は、ＵＥとスモール・セルとの間のリンク品質が劣化するかどうかを判定するように構成された判定ユニットと、ＵＥとスモール・セルとの間のリンク品質が劣化する場合に、スモール・セルによる無線リンク監視を実行せず、無線リンク障害を開始せずに、二重／複数セルの接続を維持するために、マクロ・セルがスモール・セル経路をリンク品質劣化がすでに発生しているスモール・セルから他のセルに切り替えるようにするために、スモール・セル品質劣化をマクロ・セルに、他のセルの測定レポートをマクロ・セルに報告するように構成された報告ユニットとを含む。
【０１２３】
上記の判定ユニットおよび報告ユニットを使用することによって、二重／複数接続性の場合、かつ、定義された時間内の１つまたは２つ／複数のスモール・セルのチャネル品質がより低い場合に、ＵＥは、チャネル品質がこれらのセルで劣化したことをマクロ・セルに報告することができ、一方、ユーザは、他のセルの測定レポートをマクロ・セルに報告し、その結果、マクロ・セルは、上記の情報に従って、スモール・セル経路をより高いチャネル品質を有する他のセルに切り替えるようになる。たとえば、二重接続性がマクロ・セルおよびスモール・セルに関して実行される例では、定義された時間内のスモール・セルのチャネル品質がより低い場合に、ＵＥは、チャネル品質がスモール・セルで劣化したことをマクロ・セルに報告すると同時に、他のセルの測定レポートをマクロ・セルに報告することができ、その後、マクロ・セルは、適切なスモール・セルを見つけ、新しい二重／複数接続性をサポートするために、スモール・セル経路を見つかったスモール・セルに切り替えることができる。特に注目に値することに、関連技術における解決策とは異なって、本発明の実施形態によって提供される解決策は、スモール・セルによる無線リンク監視を実行せず、無線リンク障害を開始せずに、上記のＴ３１０満了およびスモール・セルでのＲＬＣ発生を待つ必要がない。したがって、これは、ＵＥが望ましくない無線リンク条件の状態である時間期間を短縮することができる。
【０１２４】
これに対応して、図６は、本発明の実施形態による無線リンク障害を解決する装置のブロック図を示す。図６に示されているように、ユーザ機器（ＵＥ）は、少なくとも１つのマクロ・セルおよび少なくとも１つのスモール・セルとの無線接続を確立することができる。装置は、ＵＥとスモール・セルとの間のリンク品質劣化に関するレポートおよび他のセルの測定値のレポートを入手するように構成された入手ユニットと、２つ／複数のセルの接続を維持するために、スモール・セル経路をリンク品質劣化がすでに発生しているスモール・セルから他のセルに切り替えるように構成された切替ユニットとを含む。
【０１２５】
ここで、チャネル品質劣化は、チャネル品質関連測定値に基づいて入手される。スモール・セルの品質劣化は、ＵＥによってマクロ・セルに報告される。
【０１２６】
結論として、本発明の実施形態は、以下の技術的効果を有する。
【０１２７】
第１に、本発明の実施形態は、無線リンク劣化がスモール・セル内で発生する時のシナリオを提供する。
【０１２８】
第２に、本発明の実施形態は、接続障害（無線リンク障害、完全性チェック障害、および／またはＲＲＣ接続再構成障害を含むがこれに限定されない）と二重／複数接続性の再確立のサポートとのシナリオを提供する。本発明のシナリオは、マクロ・セルおよびスモール・セルの異なる特徴を十分に考慮し、たとえば、アンカリング・セルとしてのマクロ・セルは、より多くの情報を有し、二重／複数接続性の別のリンクを判定することができる。本発明によって提供される解決策を介して、二重／複数リンクは、一緒に、二重／複数接続性をサポートするためにＵＥのために効果的に働くことができる。
【０１２９】
さらに、本発明の動作は、図面で特定の順序で説明され、これは、これらの動作が特定の順序で実行されなければならないことまたはすべての図示の動作が実行されなければならない時に所望の結果が実施されることを要求せず、暗示しない。逆に、流れ図で説明されるステップを実行する順序は、変更され得る。それに加えてまたはその代わりに、いくつかのステップを省略することができ、複数のステップを実行のために１つのステップに組み合わせることができ、かつ／または１つのステップを実行のために複数のステップに分割することができる。
【０１３０】
本開示が、複数の実施形態を参照して説明されたが、本開示が、開示された実施形態に限定されないことを理解されたい。本開示は、添付の特許請求の範囲の趣旨および範囲に含まれる様々な変更および同等の配置を包含することを目指すものである。添付の特許請求の範囲の範囲は、最も幅広い説明に従い、これによって、すべてのそのような変更と同等の構造および機能とを含む。
【図１】
2016527839.tif 000003
【図２】
2016527839.tif 000004
【図３】
2016527839.tif 000005
【図４】
2016527839.tif 000006
【図５】
2016527839.tif 000007
【図６】
2016527839.tif 000008
【国際調査報告】
2016527839.tif 000009
2016527839.tif 000010
2016527839.tif 000011
2016527839.tif 000012
2016527839.tif 000013
2016527839.tif 000014
2016527839.tif 000015